【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
異なるセル間の干渉を管理するための方法であって、
より小さいセル動作のために確保された領域と、より大きいセル動作に利用可能な領域とを備えるサブフレームを受信するステップであり、前記より小さいセル動作のために確保された前記領域は部分帯域オールモーストブランクサブフレーム（ＰＢ−ＡＢＳ）を備え、前記より大きいセル動作に利用可能な前記領域は物理ダウンリンク共有チャネル（ＰＤＳＣＨ）領域を備える、ステップと、
前記より小さいセル動作のために確保された前記ＰＢ−ＡＢＳの前記領域の１つ以上のリソースブロックの割り当ての指示を受信するステップと、
前記指示に基づいて前記サブフレームを処理するステップであり、前記指示から前記より小さいセル動作のために確保されていると決定された前記ＰＢ−ＡＢＳの前記領域の前記１つ以上のリソースブロックにおいて情報または信号がより小さいセルへ送信されるように構成され、並びに、前記ＰＤＳＣＨの残りの部分および前記指示から前記より小さいセル動作のために確保されていると決定されない前記ＰＢ−ＡＢＳの前記領域の１つ以上のリソースブロックにおいて情報または信号がより大きいセルへ送信されるように構成されるようにする、ステップとを備えることを特徴とする方法。
【請求項２】
前記指示は、ビットマップを備え、前記ビットマップの各ビットは、前記リソースブロックのうちの少なくとも１つを表し、前記リソースブロックのうちの少なくとも１つは、前記ビットマップの中において、物理的リソースブロックのセット、仮想リソースブロックのセット、またはリソースブロック割り当てのうちの少なくとも１つによって定義されることを特徴とする請求項１に記載の方法。
【請求項３】
前記ＰＢ−ＡＢＳは前記ＰＤＳＣＨの一部であることを特徴とする請求項１に記載の方法。
【請求項４】
前記指示に基づいて前記サブフレームを処理するステップは、
前記指示に含められた前記割り当てに基づいて、前記より小さいセル動作のために確保された前記領域の前記ＰＢ−ＡＢＳにおいてより小さいセルのユーザ機器（ＵＥ）のために確保された送信に関する前記１つ以上のリソースブロック、または１つ以上の領域パラメータを決定するステップと、
前記より小さいセル動作のために確保された前記領域の前記ＰＢ−ＡＢＳにおける前記決定されたリソースブロックのうちの１つ以上を使用して、または前記より小さいセル動作のために確保された前記領域の前記ＰＢ−ＡＢＳの前記決定された領域パラメータのうちの１つ以上と合致するように、１つ以上のより小さいセルＵＥに信号を送信するステップと、
前記より大きいセル動作に利用可能な前記領域の前記ＰＤＳＣＨの残りの部分で、および前記より小さいセルＵＥに対する送信のためものであると決定されていない前記より小さいセル動作のために確保された前記領域の前記ＰＢ−ＡＢＳにおける前記リソースブロックのうちの１つ以上を使用して、１つ以上のより大きいセルＵＥに信号を送信するステップとを備えることを特徴とする請求項１に記載の方法。
【請求項５】
前記より小さいセル動作のために確保された前記領域の前記ＰＢ−ＡＢＳにおける前記送信は、ミュートされたモードまたは低減された電力（ＲＰ）のモードの少なくとも１つであることを特徴とする請求項４に記載の方法。
【請求項６】
前記１つ以上のリソースブロックの前記割り当ての前記指示は、前記より小さいセル動作のために確保された前記領域の前記ＰＢ−ＡＢＳのための時間パターンもしくは時間領域、および周波数パターンもしくは周波数領域を含むことを特徴とする請求項４に記載の方法。
【請求項７】
前記リソースブロックのうちの１つ以上で、または前記決定された領域パラメータのうちの１つ以上と合致するように、前記より小さいセル動作のために確保された前記領域の前記ＰＢ−ＡＢＳの帯域に対して１つ以上の測定を行うステップをさらに備えることを特徴とする請求項４に記載の方法。
【請求項８】
より小さいセル動作のために確保された前記領域の前記ＰＢ−ＡＢＳのために割り当てられた前記１以上のリソースブロックは、前記ＰＢ−ＡＢＳに関連付けられた帯域内の事前定義された固定ポイントの周囲のいくつかのリソースブロックを含むことを特徴とする請求項１に記載の方法。
【請求項９】
より小さいセル動作のために確保された前記領域の前記ＰＢ−ＡＢＳのために割り当てられた前記１以上のリソースブロックは、周波数領域内の等間隔の物理リソースブロック、または物理リソースブロックペアの少なくとも１つを含むことを特徴とする請求項１に記載の方法。
【請求項１０】
前記ＰＢ−ＡＢＳ内のリソースブロックグループ（ＲＢＧｓ）を含むことを特徴とする請求項１に記載の方法。
【請求項１１】
異なるセル間の干渉を管理するためのデバイスであって、
より小さいセル動作のために確保された領域と、より大きいセル動作に利用可能な領域とを備えるサブフレームを受信し、前記より小さいセル動作のために確保された前記領域は部分帯域オールモーストブランクサブフレーム（ＰＢ−ＡＢＳ）を備え、前記より大きいセル動作に利用可能な前記領域は物理ダウンリンク共有チャネル（ＰＤＳＣＨ）領域を備え、
前記より小さいセル動作のために確保された前記ＰＢ−ＡＢＳの前記領域の１つ以上のリソースブロックの割り当ての指示を受信し、
前記指示に基づいて前記サブフレームを処理し、前記指示から前記より小さいセル動作のために確保されていると決定された前記ＰＢ−ＡＢＳの前記領域の前記１つ以上のリソースブロックにおいて情報または信号がより小さいセルへ送信されるように構成され、並びに、前記ＰＤＳＣＨの残りの部分および前記指示から前記より小さいセル動作のために確保されていると決定されない前記ＰＢ−ＡＢＳの前記領域の１つ以上のリソースブロックにおいて情報または信号がより大きいセルへ送信されるように構成されるようにするよう少なくとも部分的に構成されたことを特徴とするデバイス。
【請求項１２】
前記指示は、ビットマップを備え、前記ビットマップの各ビットは、前記リソースブロックのうちの少なくとも１つを表し、前記リソースブロックのうちの少なくとも１つは、前記ビットマップの中において、物理的リソースブロックのセット、仮想リソースブロックのセット、またはリソースブロック割り当てのうちの少なくとも１つによって定義されることを特徴とする請求項１１に記載のデバイス。
【請求項１３】
前記ＰＢ−ＡＢＳは前記ＰＤＳＣＨの一部であることを特徴とする請求項１１に記載のデバイス。
【請求項１４】
前記指示に基づいて前記サブフレームを処理することは、
前記指示に含められた前記割り当てに基づいて、前記より小さいセル動作のために確保された前記領域の前記ＰＢ−ＡＢＳにおいてより小さいセルのユーザ機器（ＵＥ）のために確保された送信に関する前記１つ以上のリソースブロック、または１つ以上の領域パラメータを決定することと、
前記より小さいセル動作のために確保された前記領域の前記ＰＢ−ＡＢＳにおける前記決定されたリソースブロックのうちの１つ以上を使用して、または前記より小さいセル動作のために確保された前記領域の前記ＰＢ−ＡＢＳの前記決定された領域パラメータのうちの１つ以上と合致するように、１つ以上のより小さいセルＵＥに信号を送信することと、
前記より大きいセル動作に利用可能な前記領域の前記ＰＤＳＣＨの残りの部分で、および前記より小さいセルＵＥに対する送信のためものであると決定されていない前記より小さいセル動作のために確保された前記領域の前記ＰＢ−ＡＢＳにおける前記リソースブロックのうちの１つ以上を使用して、１つ以上のより大きいセルＵＥに信号を送信することとを備えることを特徴とする請求項１１に記載のデバイス。
【請求項１５】
前記より小さいセル動作のために確保された前記領域の前記ＰＢ−ＡＢＳにおける前記送信は、ミュートされたモードまたは低減された電力（ＲＰ）のモードの少なくとも１つであることを特徴とする請求項１４に記載のデバイス。
【請求項１６】
前記１つ以上のリソースブロックの前記割り当ての前記指示は、前記より小さいセル動作のために確保された前記領域の前記ＰＢ−ＡＢＳのための時間パターンもしくは時間領域、および周波数パターンもしくは周波数領域を含むことを特徴とする請求項１４に記載のデバイス。
【請求項１７】
前記リソースブロックのうちの１つ以上で、または前記決定された領域パラメータのうちの１つ以上と合致するように、前記より小さいセル動作のために確保された前記領域の前記ＰＢ−ＡＢＳの帯域に対して１つ以上の測定を行うよう少なくとも部分的にさらに構成たことを特徴とする請求項１４に記載のデバイス。
【請求項１８】
より小さいセル動作のために確保された前記領域の前記ＰＢ−ＡＢＳのために割り当てられた前記１以上のリソースブロックは、前記ＰＢ−ＡＢＳに関連付けられた帯域内の事前定義された固定ポイントの周囲のいくつかのリソースブロックを含むことを特徴とする請求項１１に記載のデバイス。
【請求項１９】
より小さいセル動作のために確保された前記領域の前記ＰＢ−ＡＢＳのために割り当てられた前記１以上のリソースブロックは、周波数領域内の等間隔の物理リソースブロック、または物理リソースブロックペアの少なくとも１つを含むことを特徴とする請求項１１に記載のデバイス。
【請求項２０】
前記ＰＢ−ＡＢＳ内のリソースブロックグループ（ＲＢＧｓ）を含むことを特徴とする請求項１１に記載のデバイス。